(57)【要約】【課題】  多層階家屋、事務所、学校、工場等、日照の悪い部屋に天空光（天空の明るさ）を簡単に取り入れて、室内照度を明るくし、節電するユニットを提供する。【解決手段】  ユニットは、ステンレス製の光反射板と、窓外のフェンス、面格子等支持物に固定する取付枠と、仰角４５度の角度調節アームとの３部品から出来ている。  本発明ユニットは、天空光を室内に反射して、昔の天窓と同じ明るさが得られる水平型天窓である。  ステンレスで大量生産でき、半一体化してあるから、安く、素人でも簡単に取り付け出来るようになっている。【選択図】図１
2005327736.tif 000002
【特許請求の範囲】
【請求項１】
フレーム付き光反射板と、それを所定の場所に取り付けるための取付枠と、光反射板を希望角度に向わせるための角度調節アームとで構成される水平型天窓。
【請求項２】
多数の凸型半円球を成型したステンレス板。
【発明の詳細な説明】
【技術分野】
【０００１】本発明は、天空光（天空の明るさ）、更に太陽光を光反射板により、安価に簡単に窓から室内或いは特定場所を明るくしようとするものである。
【背景技術】
【０００２】天空光或いは太陽光を室内に取り入れる主な技術としては
（ア）  一日中日照のない部屋を明るくする為に、昔からの天空光を取り入れる天窓方式と、
（イ）  数年前開発された、屋上に太陽光の移動をパラボラ集光器の自動追尾装置を置き、集めた光を光ファイバーで下層階の部屋まで光束を導く方式
の２方式があった。
【発明の開示】
【発明が解決しようととする課題】
【０００３】これらには、次のような問題点があった。
（ア）  天窓は最上階の部屋では設置出来るが、最近のように、建築が高層化すると、下層階では実施出来ない。また、天窓は工事費も相当掛る。
（イ）  自動追尾装置は、理論的には良い方法であるが、高度の技術を要し、設備費が高額となり、維持費も掛り、特殊用途には使われるであろうが、一般家庭では電灯で済ませてしまい、普及は望めない。
本発明は、これらの問題点を解決するためになされたものである。
【課題を解決するための手段】
【０００４】  日照のない部屋の窓外に仰角４５度の光反射板を設置すると、真上からの天空光が９０度屈折されて、窓ガラスを通して室内に明るい光影が得られる。水平型天窓である。しかし、大きな光反射板を４５度傾けて窓外に固定するのは難しい。一般家庭では工務店に頼まなければならず、高額な工事費が掛ってしまう。
そこで、フレーム付き光反射板と、光反射板の仰角調節アームとこの装置をフェンスなどに固定する取付枠の３部品と、組立説明書付き半一体化セットを箱に入れてホームセンターなどで安く市販する。
説明書に従って、窓外のフェンス、面格子などに、取付枠を４箇所で止め、２本の角度調節アームを４５度印の孔両側２箇所で蝶ネジ止めするだけであるから、素人でも簡単に出来る。
【発明の効果】
【０００５】（ア）  本発明は旧来の天窓と異なり、既存家屋でも、下層階でも、取り付けることが出来る。
（イ）  本発明品は、部品を全部ステンレスで造る事ができるから、大量生産が可能で安い市販価格が期待でき、潜在需要があり、取り付けが簡単であるから、普及すると思う。
（ウ）  高層過密都市の薄暗い部屋が突然明るくなった喜びは、家庭の幸福感にも繋がり、精神的にも、健康にも良いことである。
（エ）  家庭のみならず、事務所、学校、工場の昼間照明の補助に利用しても、日本全体では相当な電力の節約となり、延いては石油資源の節約地球温暖化の防止にも役立つ。
（オ）  しかも、この照明エネルギーは無限にあり、世界中で永久に無料で使えるのである。
【発明を実施するための最良の形態】
【０００６】以下、本発明の実施例について説明する。
（Ａ）基本型：図１
（ア）  光反射板の材質としては、光反射率、加工性、強度、耐久性、価格等の諸点から、ステンレスが最適と考えられる。
他の部品もステンレスで作れば、同じ工場で生産出来、コストも下がる。
（イ）  ５０ｃｍＸ５０ｃｍの天窓と同じ明るさ（光束）を水平型天窓で取り入れるには、４５度の仰角のため横５０ｃｍＸ縦７０ｃｍの面積が必要となる。
（ウ）  図１は本発明の水平型天窓を窓外のフェンス１０の内側に取り付た側面概念図である。点線１は天空光で、光反射板２で直角に反射され、窓ガラス３を通って室内に入る。
（エ）  光反射板２は周辺をフレーム４で固定されている。このフレームは、薄い光反射板２の補強と、取付枠５、角度調節アーム６に連結するためと、また光反射板２の取替え、増設の際便利である。
（オ）  フレーム４は、四角形或いはＵ字形の取付枠５と、フレーム回転ネジ７で連結されて、約３００度回転出来る
（カ）  取付枠５は窓外のフェンス、面格子，庇などに光反射板２を取り付けるための金具である。
（キ）  ２本の角度調節アーム６はアーム回転ネジ８で取付枠に止め３６０度回転できる。角度調節アームの他端９には、４５度印の孔を中心に５個の孔が開けてある。止め孔９を選ぶ事により、光反射板２の仰角を変える事が出来、仰角中の邪魔な庇などを避けて天空光を捉えることが出来る。
（ク）  図２は、本水平型天窓を窓外の面格子１１の外側に取り付けた場合の側面概念図である。
この場合は、図１の位置から、光反射板のフレーム４を回転ネジ７中心に２７０度回転させ、角度調節アーム６を１８０度回転させ、且つ全体を１８０度回転させたことになる。
つまり、この半一体化セットは、取り付け場所の内側、外側兼用なのである。
（ケ）  既存の取り付け場所がない場合には、建物外壁から４本の支持アームを出すか、地上に支持柱を立てて利用すれば良い。【０００７】（Ｂ）光乱反射板：図３
（ア）  一様な室内照度にするには：
以上は平面光反射板について述べたが、この場合は室内に四角い天空光の投影が映る。つまり、室内に四角い明暗が生ずる。
光反射板を横方向波型にすると、室内明度は横方向に一様になる。
気泡入りプチシートのように、多数の凸型半円球を成型した光乱反射板図１２にすると、天空光は乱反射され、室内照度は一様になる。
（ア）  建物の東、西側のように少し日照のある部屋は：
この場合は、室内から見通せる、長時間日照のある室外の場所に光乱反射板図１２を設置すれば、室内に長時間の日照を取り入れる事が出来る。【０００８】（Ｃ）業務用大型光反射板
以上は一般家庭用の水平型小型天窓について述べたが、北側の事務所、学校、工場等業務用にも、当然利用できる。
この場合は部屋面積も、窓面積も大きいので、光反射板の大きさも特注になるが、構造の基本は変わり無く、ただ横幅は窓と同じ長さで、風圧を避ける為に縦高は１ｍ程度にしても、相当な室内照度が得られる。
業務用の場合には、部屋の天井を白くして反射光を当て、天井の乱反射光で室内の明るさを柔らかく、均一するのが良いと思う。
日頃の照明電力の多い所ほど節電効果も大きくなるのは当然である。
【図面の簡単な説明】
【０００９】
【図１】本発明をフェンス内側に取り付けた側面概念図
【図２】本発明を面格子外側に取り付けた側面概念図
【図３】本発明の光乱反射板
【符号の説明】
【００１０】  １          天空光
２          光反射板
３          窓ガラス
４          フレーム
５          取付枠
６          角度調節アーム
７          フレーム回転ネジ
８          アーム回転ネジ
９          ネジ孔
１０          フェンス
１１          面格子
１２          凸型半円球
【図１】
2005327736.tif 000003
【図２】
2005327736.tif 000004
【図３】
2005327736.tif 000005
【手続補正書】
【提出日】平成17年7月11日(2005.7.11)
【手続補正１】
【補正対象書類名】明細書
【補正対象項目名】０００７
【補正方法】変更
【補正の内容】
【０００７】（Ｂ）光乱反射板：図３
（ア）以上は平面反射板について述べたが、この場合、室内に四角い天空光の投影が映る。つまり、室内に四角い明暗が生じ、特定場所の照明に適している。この四角い明部に光乱反射性物質を置けば、室内照度を一様にすることが出来る。
（イ）気泡入りプチシートのような、多数の凸型半円球１２を成型した光乱反射板（図３）を、本発明の平面反射板と入れ替えると、天空光は乱反射され、室内照度は一様になる。
（ウ）建物の東、西側のように少し日照のある部屋を、更に長時間日照のある部屋に変える事ができる。
この場合、室内から見通せる、且つ長時間日照のある室外の場所にこの光乱反射板を設置すれば、太陽が移動しても、太陽光の乱反射光が室内に入って来るから、長時間室内に日照を取り入れる事が出来るのである。